(57)【要約】【課題】手間を掛けずに、装飾部材の取り替えを容易に行うことができ、テンプルやブリッジの外観を容易に変更することができる眼鏡フレームを提供する。【解決手段】切り欠き部４１の開口端４２間の距離Ｙ１は、眼鏡フレーム正面視Ｘにおいて左右方向のテンプル３の幅Ｙ２より小さい。さらに、テンプル３への装着時において、装飾部材４の切り欠き部４１の開口端４２が、眼鏡フレーム正面視Ｘにおいて下方に長さＨだけ延在している。【選択図】図１
0003122149.tif 000002
【実用新案登録請求の範囲】
【請求項１】
テンプルおよび該テンプルに着脱自在に取り付けられる装飾部材を備えた眼鏡フレームであって、
装飾部材は、可撓性部材からなり、テンプルを被覆しつつテンプルに装着すべく設けられた切り欠き部を有し、
切り欠き部の開口端間の距離は、装飾部材の挿通方向に垂直な方向のテンプルの幅より小さく、
切り欠き部の開口端は、テンプルへの装着時において、テンプルより装飾部材の挿通方向に延在していることを特徴とする眼鏡フレーム。
【請求項２】
テンプルまたは切り欠き部内のいずれか一方に、突起部が設けられ、テンプルまたは切り欠き部内のいずれか他方の対応する位置に、凹部または貫通孔が設けられたことを特徴とする請求項１記載の眼鏡フレーム。
【請求項３】
テンプルおよび該テンプルに着脱自在に取り付けられる装飾部材を備えた眼鏡フレームであって、
テンプルは、眼鏡フレーム正面視における上下方向または左右方向のいずれか一方がいずれか他方よりも長く形成されており、
装飾部材は、可撓性部材からなり、テンプルを被覆しつつテンプルに装着すべく設けられた切り欠き部を有し、
切り欠き部の開口端間の距離は、テンプルの眼鏡フレーム正面視における長手方向長さより短くかつ短手方向長さより長く、
装飾部材をテンプルの前記長手方向から挿通し、挿通した状態で略９０°回動させることにより、装飾部材がテンプルに保持されることを特徴とする眼鏡フレーム。
【請求項４】
ブリッジおよび該ブリッジに着脱自在に取り付けられる装飾部材を備えた眼鏡フレームであって、
装飾部材は、可撓性部材からなり、ブリッジを被覆しつつブリッジに装着すべく設けられた切り欠き部を有し、
切り欠き部の開口端間の距離は、装飾部材の挿通方向に垂直な方向のブリッジの幅より小さく、
切り欠き部の開口端は、ブリッジへの装着時において、ブリッジより装飾部材の挿通方向に延在していることを特徴とする眼鏡フレーム。
【請求項５】
ブリッジまたは切り欠き部内のいずれか一方に、突起部が設けられ、ブリッジまたは切り欠き部内のいずれか他方の対応する位置に、凹部または貫通孔が設けられたことを特徴とする請求項４記載の眼鏡フレーム。
【請求項６】
ブリッジおよび該ブリッジに着脱自在に取り付けられる装飾部材を備えた眼鏡フレームであって、
ブリッジは、眼鏡フレーム正面視における上下方向または左右方向のいずれか一方がいずれか他方よりも長く形成されており、
装飾部材は、可撓性部材からなり、ブリッジを被覆しつつブリッジに装着すべく設けられた切り欠き部を有し、
切り欠き部の開口端間の距離は、ブリッジの眼鏡フレーム正面視における長手方向長さより短くかつ短手方向長さより長く、
装飾部材をブリッジの前記長手方向から挿通し、挿通した状態で略９０°回動させることにより、装飾部材がブリッジに保持されることを特徴とする眼鏡フレーム。
【考案の詳細な説明】
【技術分野】
【０００１】
本考案は、テンプルの外観を変更することが可能な眼鏡フレームに関する。
【背景技術】
【０００２】
近年の眼鏡に対するファッション性、デザイン性等の装飾性重視の傾向により、テンプル、ブリッジ等の部品に様々な装飾性を施した眼鏡が商品化されている。特に、テンプルは、眼鏡の側面視において目立ち、ブリッジは、眼鏡の正面視において目立つため、眼鏡全体の外観に大きく影響を及ぼす。このため、一人の使用者が、テンプルやブリッジが異なる複数の眼鏡を所有し、所有する眼鏡の中から、ＴＰＯ（時（Time）、場所（Place）、場合（Occasion））に最も適した眼鏡を選択して使用することが多く見られる。
【０００３】
しかし、ＴＰＯに最も適した眼鏡を選択して使用するには、テンプルやブリッジが異なる眼鏡をそれぞれ別個に購入する必要があるため費用が嵩む。また、一日の間でそれぞれの眼鏡を使い分けるような場合には、テンプルやブリッジが異なる複数の眼鏡を携帯しなければならず不便であるという問題もある。このような問題は、例えば、テンプルに対して装飾部材を取り替え可能とすることで解決することが可能である。
【０００４】
ところで、テンプルへの装飾部材の取り付けは、ネジ止めや、装飾部材をテンプルに固定するための専用の止め具などを用いて行われている（特許文献１参照）。
【特許文献１】特許第３１７１３０９号公報
【考案の開示】
【考案が解決しようとする課題】
【０００５】
しかし、装飾部材を取り付けるために用いられるネジや止め具は小さいため、ネジを緩めたり締め直したり、あるいは止め具を外したり留めたりして装飾部材を取り替える作業は非常に手間が掛かる。
【０００６】
本考案は、手間を掛けずに、装飾部材の取り替えを容易に行うことができ、テンプルやブリッジの外観を容易に変更することができる眼鏡フレームを提供することを課題とする。
【課題を解決するための手段】
【０００７】
本考案に係る眼鏡フレームは、テンプルおよび該テンプルに着脱自在に取り付けられる装飾部材を備えた眼鏡フレームであって、装飾部材は、可撓性部材からなり、テンプルを被覆しつつテンプルに装着すべく設けられた切り欠き部を有し、切り欠き部の開口端間の距離は、装飾部材の挿通方向に垂直な方向のテンプルの幅より小さく、切り欠き部の開口端は、テンプルへの装着時において、テンプルより装飾部材の挿通方向に延在していることを特徴とするものである。
【０００８】
上記構成の眼鏡フレームによれば、可撓性部材からなる装飾部材に設けられた切り欠き部に、テンプルを挿通することにより、テンプルが装飾部材に被覆された状態で装着される。
【０００９】
ここで、切り欠き部の開口端間の距離は、装飾部材の挿通方向に垂直な方向のテンプルの幅より小さい。このため、装飾部材の可撓性により、テンプルへの装着時においてテンプルが装飾部材の切り欠き部内を押し広げ、装飾部材には付勢力が働く。したがって、装着部材の付勢力によりテンプルへの装着状態が保持される。
【００１０】
さらに、テンプルへの装着時において、装飾部材の切り欠き部の開口端が、テンプルより装飾部材の挿通方向に延在している。このため、切り欠き部の開口端は、当該箇所にテンプルが存在しない分、付勢力により元に戻り、テンプルの幅より小さくなる。したがって、テンプルの挿通方向への移動が抑制されるため、テンプルへの保持力が増大する。さらに、テンプルから装飾部材を取り外す際、延在している切り欠き部の開口端を挿通方向に押し出すことにより、装飾部材を容易に取り外すことができる。すなわち、延在している切り欠き部の開口端を装飾部材を取り外すための端緒とすることができる。
【００１１】
このように、切り欠き部の開口端間の距離をテンプルの幅より小さくして装飾部材の付勢力を用いることにより、ネジや止め具を用いることなく装着保持が可能であるとともに、切り欠き部の開口端をテンプルより延在させることにより、延在された切り欠き部の開口端を装飾部材を取り外すための端緒として利用することができ、装飾部材を容易に取り外すことができる。したがって、手間を掛けずに、装飾部材の取り替えを容易に行うことができ、テンプルの外観を容易に変更することができる。
【００１２】
好ましくは、テンプルまたは切り欠き部内のいずれか一方に、突起部が設けられ、テンプルまたは切り欠き部内のいずれか他方の対応する位置に、凹部または貫通孔が設けられるように構成される。
【００１３】
この場合、装飾部材のテンプルへの装着時において、テンプルまたは切り欠き部内のいずれか一方に設けられた突起部とテンプルまたは切り欠き部内のいずれか他方に設けられた凹部または貫通孔とが嵌合した状態で保持される。
【００１４】
したがって、装飾部材のテンプルへの装着時において位置決めを容易に行うことができるとともに、保持力を増大させることができる。
【００１５】
また、本考案に係る眼鏡フレームは、テンプルおよび該テンプルに着脱自在に取り付けられる装飾部材を備えた眼鏡フレームであって、テンプルは、眼鏡フレーム正面視における上下方向または左右方向のいずれか一方がいずれか他方よりも長く形成されており、装飾部材は、可撓性部材からなり、テンプルを被覆しつつテンプルに装着すべく設けられた切り欠き部を有し、切り欠き部の開口端間の距離は、テンプルの眼鏡フレーム正面視における長手方向長さより短くかつ短手方向長さより長く、装飾部材をテンプルの前記長手方向から挿通し、挿通した状態で略９０°回動させることにより、装飾部材がテンプルに保持されることを特徴とするものである。
【００１６】
上記構成の眼鏡フレームによれば、可撓性部材からなる装飾部材に設けられた切り欠き部に、テンプルを挿通することにより、テンプルが装飾部材に被覆された状態で装着される。
【００１７】
ここで、テンプルは、眼鏡フレーム正面視における上下方向または左右方向のいずれか一方がいずれか他方よりも長く形成される。そして、切り欠き部の開口端間の距離は、テンプルの眼鏡フレーム正面視における長手方向長さより短くかつ短手方向長さより長い。したがって、装飾部材をテンプルの前記長手方向（眼鏡フレーム正面視における長手方向）から挿通することにより、テンプルを装飾部材の切り欠き部内に容易に挿通することができる。一方、挿通した状態でテンプルに対し装飾部材を略９０°回動させることにより、切り欠き部の開口端間の距離より長い長手方向長さを有するテンプルが、装飾部材の可撓性により、装飾部材の切り欠き部内を押し広げる。この際、装飾部材には付勢力が働くため、テンプルへの装着状態が保持される。取り外す際には、再び装飾部材をテンプルに対し略９０°回動させることにより、装飾部材の付勢力が容易に解除されて取り外すことができる。
【００１８】
このように、装飾部材をテンプルの長手方向から挿通することにより、切り欠き部の開口端間の距離より短いテンプルの短手方向側を向けて挿通させて、着脱を容易にすることができるとともに、挿通した上で略９０°回動させることにより、開口端間の距離より長いテンプルの長手方向の両端が切り欠き部を押し広げて、装飾部材に付勢力が発生し、切り欠き部ネジや止め具を用いることなく装着状態を保持することができる。したがって、手間を掛けずに、装飾部材の取り替えを容易に行うことができ、テンプルの外観を容易に変更することができる。
【００１９】
また、本考案に係る眼鏡フレームは、上記テンプルの代わりにブリッジに対しても適用でき同様の効果を奏する。
【００２０】
すなわち、本考案に係る眼鏡フレームは、テンプルおよび該テンプルに着脱自在に取り付けられる装飾部材を備えた眼鏡フレームであって、装飾部材は、可撓性部材からなり、テンプルを被覆しつつテンプルに装着すべく設けられた切り欠き部を有し、切り欠き部の開口端間の距離は、装飾部材の挿通方向に垂直な方向のテンプルの幅より小さく、切り欠き部の開口端は、テンプルへの装着時において、テンプルより装飾部材の挿通方向に延在していることを特徴とするものである。
【００２１】
好ましくは、ブリッジまたは切り欠き部内のいずれか一方に、突起部が設けられ、ブリッジまたは切り欠き部内のいずれか他方の対応する位置に、凹部または貫通孔が設けられるように構成される。
【００２２】
また、本考案に係る眼鏡フレームは、ブリッジおよび該ブリッジに着脱自在に取り付けられる装飾部材を備えた眼鏡フレームであって、ブリッジは、眼鏡フレーム側面視における上下方向または左右方向のいずれか一方がいずれか他方よりも長く形成されており、装飾部材は、可撓性部材からなり、ブリッジを被覆しつつブリッジに装着すべく設けられた切り欠き部を有し、切り欠き部の開口幅は、ブリッジの眼鏡フレーム側面視における長手方向長さより小さくかつ短手方向長さより大きく、装飾部材をブリッジの前記長手方向から挿通し、挿通した状態で略９０°回動させることにより、装飾部材がブリッジに保持されることを特徴とするものである。
【考案の効果】
【００２３】
本考案に係る眼鏡フレームの一形態によれば、切り欠き部の開口端間の距離をテンプルまたはブリッジの幅より小さくして装飾部材の付勢力を用いることにより、ネジや止め具を用いることなく装着保持が可能であるとともに、切り欠き部の開口端をテンプルまたはブリッジより延在させることにより、延在された切り欠き部の開口端を装飾部材を取り外すための端緒として容易に取り外すことができる。したがって、手間を掛けずに、装飾部材の取り替えを容易に行うことができ、テンプルやブリッジの外観を容易に変更することができる。
【００２４】
また、本考案に係る眼鏡フレームの他の形態によれば、装飾部材をテンプルまたはブリッジの長手方向から挿通することにより、切り欠き部の開口端間の距離より短いテンプルまたはブリッジの短手方向側を向けて挿通させて、着脱を容易にすることができるとともに、挿通した上で略９０°回動させることにより、開口端間の距離より長いテンプルまたはブリッジの長手方向の両端が切り欠き部を押し広げて、装飾部材に付勢力が発生し、切り欠き部ネジや止め具を用いることなく装着状態を保持することができる。したがって、手間を掛けずに、装飾部材の取り替えを容易に行うことができ、テンプルやブリッジの外観を容易に変更することができる。
【考案を実施するための最良の形態】
【００２５】
以下、添付図面を参照しつつ、本考案を実施するための最良の形態について説明する。まず、第１実施形態について説明する。図１は本考案の第１実施形態に係る眼鏡フレームにレンズが取り付けられた状態における外観図である。図１（ａ）は側面図を示し、図１（ｂ）は平面図（下から見た図）を示す。本実施形態に係る眼鏡フレーム１は、図１に示すように、左右一対のレンズＬを連結するブリッジ５と、左右一対の各レンズＬの外側端部に取り付けられた左右一対のヨロイ２と、左右一対の各ヨロイ２に対して回動可能に連結された左右一対のテンプル３と、左右一対の各テンプル３に着脱自在に取り付けられる装飾部材４と、ブリッジ５に取り付けられた鼻パット６と、テンプル３の先端側に取り付けられた耳当接部７とを備えるいわゆるツーポイントタイプの眼鏡フレームとして構成されている。
【００２６】
図２は図１の眼鏡フレームにおいてテンプル３と装飾部材４との関係を示すＡ−Ａ断面図である。図２（ａ）は装着前を示す断面図であり、図２（ｂ）は装着時を示す断面図である。また、図３は図１の装飾部材の斜視図である。本実施形態における眼鏡フレーム１において、装飾部材４は、可撓性部材からなり、図１に示すように、テンプル３を被覆しつつテンプル３に装着すべく設けられた切り欠き部４１を有し、図２に示すように、切り欠き部４１の開口端４２間の距離Ｙ１は、装飾部材４の挿通方向に垂直な方向のテンプル３の幅Ｙ２より小さく、切り欠き部４１の開口端４２は、テンプル３への装着時において、テンプル３より装飾部材４の挿通方向に延在しているものである。なお、本実施形態において、切り欠き部４１の開口端４２は、切り欠き部４１の内側面を構成する部分全体（左右一対）を示すものとする。
【００２７】
より具体的には、テンプル３を被覆しつつテンプル３に装着すべく眼鏡フレーム正面視Ｘにおいて下向きに設けられた切り欠き部４１を有し、切り欠き部４１の開口端４２間の距離Ｙ１は、装飾部材４の眼鏡フレーム正面視Ｘにおける左右方向のテンプル３の幅Ｙ２より小さく、テンプル３への装着時において、切り欠き部４１の開口端４２がテンプル３より下方に長さＨだけ延在しているものである。
【００２８】
上記構成の眼鏡フレーム１によれば、可撓性部材からなる装飾部材４に設けられた切り欠き部４１に、テンプル３を挿通することにより、テンプル３が装飾部材４に被覆された状態で装着される（図２（ｂ））。なお、装飾部材４の材質は、切り欠き部４１の幅が変化し得るように可撓性を有する限りにおいて限定されるものでなく、アセテートやナイロン系の樹脂、プラスチック等を使用することができる。また、一体成形したものであっても複数の部品を組み合わせたものであってもよい。
【００２９】
ここで、切り欠き部４１の開口端４２間の距離Ｙ１は、装飾部材４の挿通方向に垂直な方向、すなわち、眼鏡フレーム正面視Ｘにおいて左右方向のテンプル３の幅Ｙ２より小さい。このため、装飾部材４の可撓性により、テンプル３への装着時においてテンプル３が装飾部材４の切り欠き部４１内（開口端４２）を押し広げ、装飾部材４には内向きの付勢力が働く。したがって、装着部材４の付勢力によりテンプル３への装着状態が保持される。
【００３０】
さらに、テンプル３への装着時において、装飾部材４の切り欠き部４１の開口端４２が、テンプル３より装飾部材４の挿通方向、すなわち、眼鏡フレーム正面視Ｘにおいて下方に長さＨだけ延在している。言い換えると、装飾部材４の切り欠き部４１の眼鏡フレーム正面視Ｘにおける上下方向長さは、装着するテンプル３の前記上下方向長さより長さＨだけ大きい。このため、切り欠き部４１の開口端４２は、当該箇所にテンプル３が存在しない分、付勢力により元に戻り、テンプル３の幅Ｙ２より小さくなる（Ｙ１に近づく）。したがって、テンプル３の挿通方向への移動が抑制されるため、テンプル３への保持力が増大する。さらに、テンプル３から装飾部材４を取り外す際、延在している切り欠き部４１の開口端４２を挿通方向に押し出すことにより、装飾部材４を容易に取り外すことができる。すなわち、延在している切り欠き部４１の開口端４２を装飾部材４を取り外すための端緒とすることができる。
【００３１】
なお、本実施形態においては、下向きに延在された開口端４２の先端付近に切り欠き部４１内側に延在された幅狭部４４を有している。これにより、テンプル３への装着時に、装飾部材４が容易に外れるのを防止することができる。
【００３２】
このように、切り欠き部４１の開口端４２間の距離Ｙ１をテンプル３の幅Ｙ２より小さくして装飾部材４の付勢力を用いることにより、ネジや止め具を用いることなく装着保持が可能であるとともに、切り欠き部４１の開口端４２をテンプル３より下方に長さＨだけ延在させることにより、延在された切り欠き部４１の開口端４２を装飾部材４を取り外すための端緒として利用することができ、装飾部材４を容易に取り外すことができる。したがって、手間を掛けずに、装飾部材４の取り替えを容易に行うことができ、テンプル３の外観を容易に変更することができる。
【００３３】
本実施形態においては、テンプル３に、突起部３１が設けられ、装飾部材４の切り欠き部４１内の対応する位置に、凹部４３が設けられるように構成される。図４は図１の眼鏡フレームにおけるテンプルを内側から見た図である。より具体的には、図４に示すように、テンプル３の内側かつ装飾部材４が装着される箇所の前後両端近傍に計２箇所、突起部３１が設けられており、図３に示すように、装飾部材４の切り欠き部４１の眼鏡フレーム正面視Ｘにおいて内側の開口端４２の内側面かつテンプル３の突起部３１に対応した位置に、凹部４３が設けられている。
【００３４】
この場合、装飾部材４のテンプル３への装着時において、テンプル３に設けられた突起部３１と装飾部材４の切り欠き部４１内に設けられた凹部４３とが嵌合した状態で保持される。また、テンプル３内側面に突起部３１を設けることにより、外観美を崩すこともない。
【００３５】
したがって、装飾部材４のテンプル３への装着時において位置決めを容易に行うことができるとともに、保持力を増大させることができる。
【００３６】
なお、装飾部材４に設ける凹部４３は加工性容易の観点から貫通孔であってもよい。また、テンプル３に凹部または貫通孔を設け、装飾部材４に突起部を設けることとしてもよい。また、突起部および凹部または貫通孔の数についても特に限定されることはなく、装飾部材の大きさ等の諸条件により適宜選択される。
【００３７】
なお、本実施形態においては、装飾部材４の切り欠き部４１が眼鏡フレーム正面視Ｘにおいて下向きに形成されているが、これに限られるものではなく、例えば、横向き（内向き）に形成されることとしてもよい。つまり、装飾部材４の挿通方向は、上記実施形態に限られず、種々適用可能である。
【００３８】
次に、本考案の第２実施形態について説明する。図５は本考案の第２実施形態に係る眼鏡フレームにレンズが取り付けられた状態における外観図である。図５（ａ）は外側面図を示し、図５（ｂ）は平面図（下から見た図）を示し、図５（ｃ）は内側面図（ブリッジや鼻パットはあえて省略している）を示す。図６は図５の眼鏡フレームにおいてテンプルと装飾部材との関係を示すＡ−Ａ断面図である。図６（ａ）は挿脱時を示す断面図であり、図２（ｂ）は装着（固定）時を示す断面図である。第１実施形態と同様の構成については同じ符号を付し、説明を省略する。
【００３９】
本実施形態に係る眼鏡フレーム１’は、テンプル３’および該テンプル３’に着脱自在に取り付けられる装飾部材４’を備えた眼鏡フレーム１’であって、テンプル３’は、眼鏡フレーム正面視Ｘにおける上下方向（長手方向長さＭ）が左右方向（短手方向長さＮ）よりも長く形成されており、装飾部材４’は、可撓性部材からなり、テンプル３’を被覆しつつテンプル３’に装着すべく設けられた切り欠き部４１’を有し、切り欠き部４１’の開口端４２’間の距離Ｙ１’は、テンプル３’の眼鏡フレーム正面視Ｘにおける長手方向長さＭより短くかつ短手方向長さＮより長く、装飾部材４’をテンプル３’の前記長手方向から挿通し（図６（ａ））、挿通した状態で略９０°回動させることにより、装飾部材４’がテンプル３’に保持される（図６（ｂ））ものである。
【００４０】
上記構成の眼鏡フレーム１’によれば、可撓性部材からなる装飾部材４’に設けられた切り欠き部４１’に、テンプル３’を挿通することにより、テンプル３’が装飾部材４’に被覆された状態で装着される。
【００４１】
ここで、テンプル３’は、図６（ａ）に示すように、眼鏡フレーム正面視Ｘにおける上下方向（長手方向長さＭ）が左右方向（短手方向長さＮ）よりも長く形成される。そして、切り欠き部４１’の開口端４２間の距離Ｙ１’は、テンプル３’の眼鏡フレーム正面視Ｘにおける長手方向長さＭより短くかつ短手方向長さＮより長い（Ｎ＜Ｙ１’＜Ｍ）。したがって、装飾部材４’をテンプル３’の前記長手方向（眼鏡フレーム正面視Ｘにおける上方向）から挿通することにより、テンプル３’を装飾部材４’の切り欠き部４１’内に容易に挿通することができる。一方、図６（ｂ）に示すように、挿通した状態でテンプル３’に対し装飾部材４’を略９０°回動させることにより、切り欠き部４１’の開口端４２’間の距離Ｙ１’より長い長手方向長さＭを有するテンプル３’が、装飾部材４’の可撓性により、装飾部材４’の切り欠き部４１’内を押し広げる。この際、装飾部材４’には付勢力が働くため、テンプル３’への装着状態が保持される。取り外す際には、再び装飾部材４’をテンプル３’に対し略９０°回動させることにより、装飾部材４’の付勢力が容易に解除されて取り外すことができる。なお、本実施形態においては、略９０°回動させた際、切り欠き部４１’が内側になるように構成しているため、装飾部材４’装着時の外観美が損なわれることがない。
【００４２】
このように、装飾部材４’をテンプル３’の長手方向から挿通することにより、切り欠き部４１’の開口端４２’間の距離より短いテンプル３’の短手方向側を向けて挿通させて、着脱を容易にすることができるとともに、挿通した上で略９０°回動させることにより、開口端４２’間の距離より長いテンプル３’の長手方向の両端が切り欠き部４１’を押し広げて、装飾部材４’に付勢力が発生し、ネジや止め具を用いることなく装着状態を保持することができる。したがって、手間を掛けずに、装飾部材４’の取り替えを容易に行うことができ、テンプル３’の外観を容易に変更することができる。
【００４３】
なお、本実施形態においては、眼鏡フレーム正面視Ｘにおいてテンプル３’の上方から装飾部材４’を挿通することを例として説明したが、これに限られず、例えば、左右方向が上下方向よりも長いテンプルにおいて、横方向から挿通した上で略９０°回動させて、切り欠き部が下向きとなる構成としてもよい。
【００４４】
また、本考案に係る眼鏡フレームは、上記テンプル３に加えて、またその代わりに、ブリッジ５に対しても適用でき同様の効果を奏する。図７は図１の眼鏡フレームのブリッジに対しても装飾部材を取り付けた場合の外観図である。図７（ａ）は外側面図を示し、図７（ｂ）は平面図（下から見た図）を示し、図７（ｃ）は装飾部材装着前のブリッジ近傍の拡大図を示す。
【００４５】
この場合、眼鏡フレーム１は、ブリッジ５および該ブリッジ５に着脱自在に取り付けられる装飾部材４０をさらに備えた眼鏡フレーム１であって、装飾部材４０は、可撓性部材からなり、ブリッジ５を被覆しつつブリッジ５に装着すべく設けられた切り欠き部４１０を有し、切り欠き部４１０の開口端４２０間の距離Ｙ１０は、装飾部材４０の挿通方向に垂直な方向（図７において、眼鏡フレーム正面視Ｘにおいて上下方向）のブリッジ５の幅Ｙ２０より小さく、切り欠き部４１０の開口端４２０は、ブリッジ５への装着時において、ブリッジ５より装飾部材４０の挿通方向に長さＨだけ延在しているものである。
【００４６】
この場合も、好ましくは、ブリッジ５または切り欠き部４１０内のいずれか一方に、突起部が設けられ、ブリッジ５または切り欠き部４１０内のいずれか他方の対応する位置に、凹部または貫通孔（図示せず）が設けられるように構成される。
【００４７】
また、上記第２実施形態と同様に、ブリッジ５および該ブリッジ５に着脱自在に取り付けられる装飾部材を備えた眼鏡フレームであって、ブリッジ５は、眼鏡フレーム側面視（図７（ａ）（ｃ））における上下方向または左右方向のいずれか一方がいずれか他方よりも長く形成されており、装飾部材は、可撓性部材からなり、ブリッジ５を被覆しつつブリッジ５に装着すべく設けられた切り欠き部を有し、切り欠き部の開口幅は、ブリッジ５の眼鏡フレーム側面視における長手方向長さより小さくかつ短手方向長さより大きく、装飾部材をブリッジ５の前記長手方向から挿通し、挿通した状態で略９０°回動させることにより、装飾部材がブリッジ５に保持されることとしてもよい。
【００４８】
以上、本考案に係る実施の形態を説明したが、本考案は上記実施の形態に限定されるものではなく、その趣旨を逸脱しない範囲内で種々の改良、変更、修正が可能である。
【図面の簡単な説明】
【００４９】
【図１】本考案の第１実施形態に係る眼鏡フレームにレンズが取り付けられた状態における外観図である。
【図２】図１の眼鏡フレームにおいてテンプル３と装飾部材４との関係を示すＡ−Ａ断面図である。
【図３】図１の装飾部材の斜視図である。
【図４】図１の眼鏡フレームにおけるテンプルを内側から見た図である。
【図５】本考案の第２実施形態に係る眼鏡フレームにレンズが取り付けられた状態における外観図である
【図６】図５の眼鏡フレームにおいてテンプルと装飾部材との関係を示すＡ−Ａ断面図である。
【図７】図１の眼鏡フレームのブリッジに対しても装飾部材を取り付けた場合の外観図である。
【符号の説明】
【００５０】
１，１’  眼鏡フレーム
３，３’  テンプル
３１  突起部
４，４’，４０  装飾部材
４１，４１’，４１０  切り欠き部
４２，４２’，４２０  開口端
４３  凹部
５  ブリッジ
Ｈ  延在した長さ
Ｙ１  開口端間の距離
Ｙ２  テンプルまたはブリッジの幅
【図１】
0003122149.tif 000003
【図２】
0003122149.tif 000004
【図３】
0003122149.tif 000005
【図４】
0003122149.tif 000006
【図５】
0003122149.tif 000007
【図６】
0003122149.tif 000008
【図７】
0003122149.tif 000009